(57)【要約】【課題】除霜ヒータの取り付け取り外しを簡単にかつ確実に行う。【解決手段】除霜ヒータ４０は、その端のループ部４２をエンドプレート３２の下縁から突設されたフランジ３７の下面に当てた状態で、冷却器３０の下面に配される。一方ホルダ５０が備えられ、まずＵ溝５２にループ部４２の付け根部分を嵌めつつ、フランジ３７の先端側の下面に当て、続いてエンドプレート３２側に向けて押し込むと、係止板５４がフランジ３７の上面に乗り上げて、係止板５４とＵ溝５２との間に、フランジ３７とループ部４２とが弾性的に挟持される。最後に、ホルダ５０をフランジ３７にねじ止めすると、除霜ヒータ４０が冷却器３０の下面に当接された状態で強固に固定される。ねじを外してホルダ５０をフランジ３７から抜き取ると、下方に引っ張ることで除霜ヒータ４０が外される。除霜ヒータ４０の取り付け取り外しが迅速に行われる。【選択図】　図２
2004003795.tif 000002
【特許請求の範囲】
【請求項１】
多数枚並設されたフィンに蒸発管が貫通して配管された冷却器の一面には、除霜ヒータが配設されたものにおいて、
前記除霜ヒータの端部を受けることが可能なホルダが備えられ、このホルダは一部を前記冷却器に設けられたエンドプレートに係止させつつ、締結手段により前記エンドプレートに対して着脱可能であり、装着時には前記除霜ヒータを前記冷却器の一面に当接した状態に保持可能となっていることを特徴とする冷却器の除霜ヒータ取付構造。
【請求項２】
前記冷却器のエンドプレートには、前記除霜ヒータの端部の一面側に当接するフランジが形成されるとともに、前記ホルダは、前記フランジに係止される係止板と、前記除霜ヒータの端部の他面側を受ける受け板とを有して挿抜可能となっており、このホルダの前記受け板が前記締結手段によって前記フランジに着脱可能となっていることを特徴とする請求項１記載の冷却器の除霜ヒータ取付構造。
【請求項３】
前記冷却器のエンドプレートの奥縁側には被係止部が、前縁側には被締結部がそれぞれ突設されるとともに、前記ホルダが、前記除霜ヒータの端部を受ける受け部の奥端に、前記被係止部に係止可能な係止部を、前端に前記締結手段によって前記被締結部に締結される締結部をそれぞれ設けた形状となっていることを特徴とする請求項１記載の冷却器の除霜ヒータ取付構造。
【請求項４】
多数枚並設されたフィンに蒸発管が貫通して配管された冷却器の一面には、除霜ヒータが配設されたものにおいて、
前記除霜ヒータの端部を圧入可能な凹部を有するホルダが備えられ、このホルダを前記冷却器のエンドプレートに着脱可能に締結する締結手段が設けられていることを特徴とする冷却器の除霜ヒータ取付構造。
【発明の詳細な説明】
【０００１】
【発明の属する技術分野】
本発明は、冷却貯蔵庫等に装備される冷却器に除霜ヒータを取り付ける構造に関する。
【０００２】
【従来の技術】
例えば業務用の冷蔵庫では、短時間で除霜を行うために、冷却器に除霜ヒータを備えたものがある。具体的には、管状をなす除霜ヒータが、冷却器の少なくとも一面において、フィンに形成されたＵ溝に嵌められつつ蛇行状に回曲されて配設されている。このうち特に、冷却器の下面側に除霜ヒータが配されるものでは、輸送中の振動等によって外れるおそれがあるため、強固に固定しておく必要がある。仮に外れると、冷却器の回りに配された冷却ダクト等の樹脂部品に触れて除霜運転中にこれを変形させたり、あるいは冷却器が有効に加熱されなくて除霜時間が長くなるという問題が生じる。
そのため従来では、図１９に示すように、除霜ヒータ１の端部を、冷却器２のエンドプレート３の下縁に切り欠き形成されたＵ溝４に嵌め、その一方の側縁片５をかしめることで固定するようにしていた（例えば、特許文献１参照）。
【０００３】
【特許文献１】
特開平３−２７４３７０号公報
【０００４】
【発明が解決しようとする課題】
しかるに従来の方法では、多数箇所でかしめ作業をしなければならないので、組み立てに手間が掛かるという問題があった。また、冷蔵庫の設置使用後に、除霜ヒータの交換を行う場合には、かしめ部分をペンチ等で１箇所ずつ元に戻してから、新たなものを装着する必要があり、この場合も大いに時間が掛かる欠点があった。
本発明は上記のような事情に基づいて完成されたものであって、その目的は、除霜ヒータの取り付け取り外しを簡単にかつ確実に行えるようにするところにある。
【０００５】
【課題を解決するための手段】
上記の目的を達成するための手段として、請求項１の発明に係る冷却器の除霜ヒータ取付構造は、多数枚並設されたフィンに蒸発管が貫通して配管された冷却器の一面には、除霜ヒータが配設されたものにおいて、前記除霜ヒータの端部を受けることが可能なホルダが備えられ、このホルダは一部を前記冷却器に設けられたエンドプレートに係止させつつ、締結手段により前記エンドプレートに対して着脱可能であり、装着時には前記除霜ヒータを前記冷却器の一面に当接した状態に保持可能となっている構成としたところに特徴を有する。
【０００６】
請求項２の発明は、請求項１に記載のものにおいて、前記冷却器のエンドプレートには、前記除霜ヒータの端部の一面側に当接するフランジが形成されるとともに、前記ホルダは、前記フランジに係止される係止板と、前記除霜ヒータの端部の他面側を受ける受け板とを有して挿抜可能となっており、このホルダの前記受け板が前記締結手段によって前記フランジに着脱可能となっているところに特徴を有する。
請求項３の発明は、請求項１に記載のものにおいて、前記冷却器のエンドプレートの奥縁側には被係止部が、前縁側には被締結部がそれぞれ突設されるとともに、前記ホルダが、前記除霜ヒータの端部を受ける受け部の奥端に、前記被係止部に係止可能な係止部を、前端に前記締結手段によって前記被締結部に締結される締結部をそれぞれ設けた形状となっているところに特徴を有する。
【０００７】
請求項４の発明に係る冷却器の除霜ヒータ取付構造は、多数枚並設されたフィンに蒸発管が貫通して配管された冷却器の一面には、除霜ヒータが配設されたものにおいて、前記除霜ヒータの端部を圧入可能な凹部を有するホルダが備えられ、このホルダを前記冷却器のエンドプレートに着脱可能に締結する締結手段が設けられているところに特徴を有する。
【０００８】
【発明の作用及び効果】
＜請求項１の発明＞
除霜ヒータの端部をホルダで受け、このホルダの一部をエンドプレートに係止しつつ締結手段で締結することにより、除霜ヒータが冷却器の一面に当接された状態で強固に固定される。締結手段を外したのち、係止を解除しつつホルダを取り外すと、除霜ヒータが外される。
ホルダをエンドプレートに対して係止しまたは外すことと、最小限の締結手段により締結とその解除とを行うだけで、除霜ヒータの取り付け取り外しを迅速に行うことができ、ひいては初めの組立作業や、設置後のヒータ交換作業を簡単にかつ正確に行うことができる。また、かしめ作業を不要としたことで、ヒータに傷が付くことが無くなり、ひいてはヒータの故障の発生を防止することができる。
【０００９】
＜請求項２の発明＞
除霜ヒータはその端部をエンドプレートのフランジに当てた状態で冷却器の一面に配され、ホルダの装着によって、係止板と受け板との間にフランジと除霜ヒータの端部とが挟まれる。最後にホルダの受け板をフランジに締結手段で締結することによって、除霜ヒータが冷却器の一面に当接された状態で強固に固定される。締結手段を外してホルダを抜き取ると、除霜ヒータが外される。ホルダの挿抜と、締結手段による締結とその解除とを行うだけで、除霜ヒータの取り付け取り外しを迅速に行うことができる。
＜請求項３の発明＞
除霜ヒータの端部をホルダの受け部で受け、ホルダの奥端の係止部をエンドプレートの奥縁側の被係止部に係止したのち、前端の締結部を前縁側の被締結部に締結手段で締結することによって、除霜ヒータが冷却器の一面に当接された状態で強固に固定される。締結手段を外したのち係止を外すことでホルダが取り外せ、除霜ヒータが外される。ホルダの奥端側を係止しまたは外すことと、前端側を締結しまたはその解除を行うだけで、除霜ヒータの取り付け取り外しを迅速に行うことができる。特に、目視できなくて手探りの作業となる奥側を係止構造としたから、能率良く作業できる。
【００１０】
＜請求項４の発明＞
除霜ヒータの端部を凹部に圧入することでホルダが除霜ヒータに組み付けられ、このホルダを冷却器のエンドプレートに締結手段で締結することによって、除霜ヒータが冷却器の一面に当接された状態で強固に固定される。締結手段を外してホルダを外すと、併せて除霜ヒータが外される。
締結手段によるホルダの着脱を行うだけで、除霜ヒータの取り付け取り外しを迅速に行うことができ、ひいては初めの組立作業や、設置後のヒータ交換作業を簡単にかつ正確に行うことができる。また、かしめ作業を不要としたことで、ヒータに傷が付くことが無くなり、ひいてはヒータの故障の発生を防止することができる。
【００１１】
【発明の実施の形態】
以下、本発明の実施形態を添付図面に基づいて説明する。
＜第１実施形態＞
本発明の第１実施形態を図１ないし図６によって説明する。
まず、本実施形態の冷蔵庫における冷却器室付近の構造を図１によって説明する。冷蔵庫本体１０の天井壁には開口部１１が形成され、この開口部１１の上面を塞ぐようにして、圧縮機１３、凝縮器１４等からなる冷凍装置１２を載置した取付架台１５が設置されているとともに、開口部１１の前方側（同図の左側）における下側の口縁の位置から、奥壁に向かって、冷却ダクトを兼ねたドレンパン１６が下り勾配で張設されており、取付架台１５との間に冷却器室１７が構成されている。
冷却器室１７の天井面には、冷却器３０がブラケット１８を介して後ろ下がりの斜め姿勢で吊り下げ状に取り付けられ、上記した冷凍装置１２と冷媒配管により循環接続されて、周知の冷凍サイクルが構成されている。また、ドレンパン１６の上部側には、冷却ファン１９が装備されている。
【００１２】
そして冷却運転時において、冷凍装置１２（圧縮機１３）と冷却ファン１９とが駆動されると、同図の矢線に示すように、冷蔵室２０内の空気が冷却ファン１９の位置から冷却器室１７内に吸引され、冷却器３０を通過する間に熱交換されて冷気が生成され、この冷気が吐出口２１から冷蔵室２０内に吹き出されるといったように循環されることで、冷蔵室２０内が冷却される。
また冷却器３０の下面には、詳しくは後記するように、除霜ヒータ４０が配設されており、除霜運転時には、除霜ヒータ４０に通電されて冷却器３０が加熱され、冷却器３０等からの除霜水は、ドレンパン１６に滴下して受けられたのち、排水管２２から奥壁に設けられた排水路を通って機外に排出されるようになっている。
【００１３】
続いて、除霜ヒータ４０の取付構造について詳細に説明する。
冷却器３０は、図２に示すように、多数枚のフィン３１が並設されるとともに、その左右両側に取付用のエンドプレート３２が配され、フィン３１並びにエンドプレート３２に整列して開口された貫通孔３３を通って蒸発管３４が蛇行状に貫通して配管され、全体としてブロック状に形成されている。
この冷却器３０の下面側に、除霜ヒータ４０が取り付けられるようになっている。
【００１４】
除霜ヒータ４０は、図３に示すように、細長い管状のものが、冷却器３０の下面の面積よりも横幅方向に若干広い領域において、ジグザグ状に回曲して形成されている。詳細には、互いに平行な複数の直線部４１の隣り合う端部同士が、ヘアピン状のループ部４２で順次に接続されたような形状となっている。
この除霜ヒータ４０を配設するために、各フィン３１の下縁には、直線部４１を嵌めるべく下向きのＵ溝３６が、複数個所定のピッチで切り欠き形成されている。
【００１５】
一方、エンドプレート３２は、図４に示すように、その下縁が、フィン３１の下縁よりも所定寸法上の位置（Ｕ溝３６の奥の位置）に留められている。このエンドプレート３２の下縁からは、その全長にわたり、フランジ３７が外方に直角曲げされて形成されている。
したがって除霜ヒータ４０が、各直線部４１をＵ溝３６に嵌めつつ冷却器３０の下面に当てられると、除霜ヒータ４０の左右両端の各ループ部４２が、フランジ３７の下面に全面的に当てられるようになっている。
【００１６】
それに加え、ホルダ５０が備えられている。ホルダ５０は、金属板を素材としており、全体としては、図１に示すように、上記したフランジ３７の正面から見た横幅よりも少し幅広で、逆に奥行寸法が短い浅皿状に形成されている。このホルダ５０の前面板５１における上縁には、上記した除霜ヒータ４０における各直線部４１とループ部４２との接続部４３付近を嵌合可能な上向きのＵ溝５２が、複数個所定のピッチで切り欠き形成されている。
【００１７】
ホルダ５０の後面板５３の上縁には、その幅方向の中央部において、前方に直角曲げされた係止板５４が形成されている。この係止板５４は、図４にも示すように、奥行き方向のほぼ中間位置まで突出しており、先端縁に斜め上方を向いたガイド部５５が形成されている。また係止板５４は、Ｕ溝３６に直線部４１とループ部４２との接続部４３付近を嵌めつつ、ホルダ５０がループ部４２の下面に当てられた場合に、フランジ３７の上面に係止可能な高さ位置に来るように形成されている。
また、ホルダ５０の底板５６における後縁側の幅方向の中央位置と、係止板５４におけるその直上位置とには、ねじ５７の挿通孔５８が開口されているとともに、エンドプレート３２のフランジ３７における対応位置には、ねじ孔３８が形成されている。なお、ホルダ５０の前面板５１と底板５６とが、本発明の受け板に相当する。
【００１８】
続いて、本実施形態の作用を説明する。除霜ヒータ４０を組み付けるに当たっては、まず各直線部４１をフィン３１の下向きのＵ溝３６に下方から嵌めつつ、除霜ヒータ４０を冷却器３０の下面に当てる。これに伴い、図４に示すように、除霜ヒータ４０の左右両端の各ループ部４２が、エンドプレート３２のフランジ３７の下面に当てられる。
次に、同図の鎖線に示すように、ホルダ５０をフランジ３７の先端側の下方に位置するように持ち来し、同図の矢線Ｘに示すように持ち上げると、同図の実線に示すように、除霜ヒータ４０における各直線部４１とループ部４２との接続部４３付近が、ホルダ５０の前面板５１の上向きのＵ溝５２に嵌まって受けられた状態となる。
【００１９】
この状態から、図４の矢線Ｙに示すように、ホルダ５０をエンドプレート３２側に向けて押し込むと、ガイド部５５を介して係止板５４がフランジ３７の上面に乗り上げ、フランジ３７の突出端が後面板５３に当たったところで押し込みが停止される。これにより、図５にも示すように、ホルダ５０の係止板５４と前面板５１のＵ溝５２との間に、フランジ３７と除霜ヒータ４０のループ部４２とが弾性的に挟持された状態となる。
このとき、ホルダ５０側の挿通孔５８，５８と、フランジ３７のねじ孔３８とが整合した状態にあるから、図６に示すように、底板５６の挿通孔５８からねじ５７を挿通してフランジ３７のねじ孔３８に螺合し、係止板５４の挿通孔５８に逃がしつつねじ５７を締め付けると、ホルダ５０がフランジ３７に対して固定される。
冷却器３０の左右反対側でも、同様にホルダ５０が固定される。これにより、除霜ヒータ４０が冷却器３０の下面に当接された状態で強固に固定される。
【００２０】
冷蔵庫を設置、使用後に除霜ヒータ４０を交換する場合は、まずねじ５７を緩めて外したのち、ホルダ５０をフランジ３７の先端側に引くと、係止板５４がフランジ３７の上面から外れるから、引き続いてホルダ５０を下げると、除霜ヒータ４０における直線部４１とループ部４２との接続部４３付近がＵ溝５２から抜けつつホルダ５０が外される。左右のホルダ５０を外したら、続いて除霜ヒータ４０全体を下に引っ張ると、直線部４１がフィン３１のＵ溝３６から抜けつつ除霜ヒータ４０が外される。
新たな除霜ヒータ４０は、既述したと同様の要領で取り付けられる。
【００２１】
すなわち、この第１実施形態によれば、ホルダ５０をエンドプレート３２のフランジ３７に対して挿抜することと、ねじ５７の締め付けとその解除とを行うだけで、除霜ヒータ４０の取り付け取り外しを迅速に行うことができる。その結果、初めの組立作業が簡単となって製造コストの低減が図れ、また設置後において除霜ヒータ４０を交換する作業も簡単にかつ正確に行うことができる。
【００２２】
＜第２実施形態＞
次に、本発明の第２実施形態を図７ないし図１１によって説明する。なお、第１実施形態と同一機能を有する部位については、同一符号を付すことで説明を省略または簡略化する。
この第２実施形態では、ホルダ６０として図７に示すものが備えられている。このホルダ６０は詳細には、全体としては長方形断面の角棒状に形成され、エンドプレート３２の正面から見た横幅にほぼ等しい長さ寸法を有している。
【００２３】
このホルダ６０の上面には、除霜ヒータ４０における各直線部４１とループ部４２との接続部４３付近を圧入可能なほぼＵ字形をなす圧入溝６１が、複数個所定のピッチで形成されている。圧入溝６１内には、上記の直線部４１とループ部４２との接続部４３がその直径分すっぽりと嵌まる設定となっている。ホルダ６０の両端には、ねじ６３の挿通孔６２が開口されている。
一方、図９に示すように、冷却器３０のエンドプレート３２の下縁が、フィン３１の下縁よりも所定寸法上の位置（Ｕ溝３６の奥の位置）に留められ、その下縁から、ホルダ６０の取り付け用としてのフランジ６５が外方に直角曲げされて形成されている。このフランジ６５の両端部には、ホルダ６０のねじ６３の挿通孔６２と対応してねじ孔６６が切られている。
【００２４】
この第２実施形態の作用は以下のようである。除霜ヒータ４０を組み付けるに当たっては、まず、除霜ヒータ４０の左右両端部における直線部４１とループ部４２との接続部４３の所定位置を、それぞれホルダ６０の圧入溝６１内にすっぽりと圧入する。これにより、図８にも示すように、除霜ヒータ４０の左右両端部の所定位置に、ホルダ６０が下面側から一体的に取り付けられる。
このようにホルダ６０が取り付けられたら、各直線部４１をフィン３１の下向きのＵ溝３６に下方から嵌めつつ、除霜ヒータ４０を冷却器３０の下面に当てる。これに伴い、図９に示すように、ホルダ６０の上面がエンドプレート３２のフランジ６５の下面に当てられ、圧力溝６１の上面開口が塞がれる。
【００２５】
このとき、ホルダ６０の挿通孔６２と、フランジ６５のねじ孔６６とが整合した状態にあるから、図９に示すように、ホルダ６０の挿通孔６２に下方からねじ６３を挿通し、フランジ６５のねじ孔６６に螺合して締め付けると、図１０及び図１１に示すように、両ホルダ６０が対応するフランジ６５に対して固定される。これにより、除霜ヒータ４０が冷却器３０の下面に当接された状態で強固に固定される。
【００２６】
冷蔵庫を設置、使用後に除霜ヒータ４０を交換する場合は、ねじ６３を緩めて両ホルダ６０をフランジ６５から外すことにより、除霜ヒータ４０をホルダ６０ごと外す。そうしたら、外部において古い除霜ヒータ４０からホルダ６０を引き抜いて外し、新たな除霜ヒータ４０にホルダ６０を圧入して取り付ける。そののちは、既述したと同様の要領で、新たな除霜ヒータ４０をホルダ６０を介して冷却器３０の下面に取り付けることができる。
【００２７】
この第２実施形態によれば、ホルダ６０を除霜ヒータ４０に対して圧入により着脱することと、ホルダ６０をねじ６３によりエンドプレート３２のフランジ６５に着脱することとを行うだけで、除霜ヒータ４０の取り付け取り外しを迅速に行うことができる。同様に、初めの組立作業が簡単となって製造コストの低減が図れ、また設置後に除霜ヒータ４０を交換する作業も簡単にかつ正確に行うことができる。
【００２８】
＜第３実施形態＞
図１２ないし図１８によって、本発明の第３実施形態を説明する。この第３実施形態は、上記第１実施形態と同様の系列に属し、以下には主に第１実施形態との相違点を説明する。その他、第１実施形態と同一機能を有する部位については、同一符号を付すことで説明を省略または簡略化する。
図１２及び図１３に示すように、冷却器３０の左右両面にはエンドプレート７０が配されており、エンドプレート７０の下縁にもフィン３１と同様にＵ溝３６が形成されている。このエンドプレート７０における奥縁（図１２の右側の縁部）の下端からは、被係止板７１が外側に向けて曲げ形成されている。
エンドプレート７０の前縁からは、全高にわたって縦向きのフランジ７２が外側に向けて曲げ形成されている。前述したように、冷却器３０は後下がりの斜め姿勢で取り付けられるが、エンドプレート７０の前縁のフランジ７２は、図１２に示すように、冷却器室１７の天井面１７Ａと直角をなすように形成されている。このフランジ７２の下端部に、ねじ７３（図１４）が螺合可能なねじ孔７４が切られている。
【００２９】
一方ホルダ７５は、図１３に示す形状に形成されている。ホルダ７５は帯状をなす受け部７６を備えており、この受け部７６はエンドプレート７０の正面から見た下縁の横幅にほぼ等しい長さ寸法を有している。受け部７６の奥端には、手前側に鈎状に曲げ形成されることで、エンドプレート７０の奥縁の被係止板７１に係止可能な係止部７７が設けられている。受け部７６の前端には締結板７８が曲げ形成されており、ただしこの締結板７８は、エンドプレート７０のフランジ７２に密着できるように、上端側が少し開いて形成されている。この締結板７８には、ねじ７３の挿通孔７９が開口されている。
【００３０】
第３実施形態の作用は以下のようである。除霜ヒータ４０を組み付けるに当たっては、各直線部４１を、図１２の鎖線に示すように、フィン３１並びにエンドプレート７０の下向きのＵ溝３６に下方から嵌める。このとき、図１３に示すように、除霜ヒータ４０の左右両端の各ループ部４２が、エンドプレート７０の外側に突出する。
次に、図１４に示すように、エンドプレート７０の外側にホルダ７５を入れ、同図の鎖線に示すように、奥端の係止部７７をエンドプレート７０の被係止板７１に係止する。続いて、受け部７６により除霜ヒータ４０のループ部４２を受けつつ手前側を起こし、図１５ないし図１７に示すように、締結板７８をフランジ７２の手前側の面の下端部に密着させる。これにより、ねじ７３の挿通孔７９がねじ孔７４に整合される。
【００３１】
最後に、図１４及び図１８に示すように、ねじ７３を前方から挿通孔７９に通してねじ孔７４に螺合し、ドライバＤで締め付けると、ホルダ７５は除霜ヒータ４０のループ部４２を押し、それに伴い直線部４１をフィン３１並びにエンドプレート７０のＵ溝３６に押し込みつつ固定される。
冷却器３０の左右反対側でも、同様にホルダ７５の奥端がまず係止され、前端がねじ７３で締め付けられて固定される。これにより、除霜ヒータ４０が冷却器３０の下面に当接された状態で強固に固定される。
【００３２】
冷蔵庫を設置、使用後に除霜ヒータ４０を交換する場合は、図１８に示すように、前方からドライバＤを入れてねじ７３を緩めて外したのち、ホルダ７５を少し奥方に押しつつ被係止板７１に対する係止を解除して取り外す。左右のホルダ７５を外したら、続いて除霜ヒータ４０全体を下に引っ張ると、直線部４１がフィン３１並びにエンドプレート７０のＵ溝３６から抜けつつ除霜ヒータ４０が外される。
新たな除霜ヒータ４０は、既述したと同様の要領で取り付けられる。
【００３３】
この第３実施形態では、ホルダ７５の奥端の係止部７７をエンドプレート７０の奥縁の被係止板７１に係止しまたは外すことと、前端の締結板７８をねじ７３で締結しまたはその解除を行うだけで、除霜ヒータ４０の取り付け取り外しを迅速に行うことができる。同様に、初めの組立作業が簡単となって製造コストの低減が図れ、また設置後において除霜ヒータ４０を交換する作業も簡単にかつ正確に行うことができる。
特に、目視できなくて手探りの作業となる奥側を係止構造としたから、能率良く作業できる。また、前方でねじ止めする場合も、冷却器室１７の天井面１７Ａと直角をなす面上で行えるようにしたから、ドライバＤを水平姿勢で真直に入れれば良い等、ねじ７３の締結または外し作業を簡単に行うことができる。
【００３４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）除霜ヒータを冷却器の側面に取り付ける形式のものにも、同様に適用することができる。
（２）本発明は、上記実施形態に例示した冷蔵庫に限らず、冷凍庫、凍結保存庫等の他の冷却貯蔵庫に配された冷却器に除霜ヒータを取り付ける場合全般に適用することができる。
【図面の簡単な説明】
【図１】本発明の第１実施形態に係る冷却器室付近を示す断面図
【図２】除霜ヒータの取付構造を示す分解斜視図
【図３】除霜ヒータの一部切欠平面図
【図４】ホルダを挿入動作を示す部分正面図
【図５】ホルダの挿入完了時の斜視図
【図６】ホルダが固定された状態を示す部分正面図
【図７】第２実施形態に係るホルダの斜視図
【図８】除霜ヒータにホルダを圧入した状態の底面図
【図９】ホルダをねじ止めした状態を示す部分正面図
【図１０】同底面図
【図１１】同側面図
【図１２】第３実施形態に係る除霜ヒータの取付前の状態の側面図
【図１３】ホルダの装着前の状態の分解斜視図
【図１４】ホルダの装着動作を示す側面図
【図１５】ホルダをねじ止めする前の状態の斜視図
【図１６】同底面図
【図１７】同部分正面図
【図１８】ホルダへのねじの締結動作を示す冷却器室付近の断面図
【図１９】従来例の側面図
【符号の説明】
３０…冷却器　３１…フィン　３２…エンドプレート　３４…蒸発管　３６…（フィン３１の）Ｕ溝　３７…フランジ　３８…ねじ孔　４０…除霜ヒータ　４１…直線部　４２…ループ部　４３…接続部　５０…ホルダ　５１…前面板　５２…（ホルダ５０の）Ｕ溝　５４…係止板　５６…底板　５７…ねじ　６０…ホルダ　６１…圧入溝（凹部）　６３…ねじ　６５…フランジ　６６…ねじ孔　７０…エンドプレート　７１…被係止板　７２…フランジ　７３…ねじ　７４…ねじ孔　７５…ホルダ　７６…受け部　７７…係止部　７８…締結板　７９…挿通孔　Ｄ…ドライバ
【図１】
2004003795.tif 000003
【図２】
2004003795.tif 000004
【図３】
2004003795.tif 000005
【図４】
2004003795.tif 000006
【図５】
2004003795.tif 000007
【図６】
2004003795.tif 000008
【図７】
2004003795.tif 000009
【図８】
2004003795.tif 000010
【図９】
2004003795.tif 000011
【図１０】
2004003795.tif 000012
【図１１】
2004003795.tif 000013
【図１２】
2004003795.tif 000014
【図１３】
2004003795.tif 000015
【図１４】
2004003795.tif 000016
【図１５】
2004003795.tif 000017
【図１６】
2004003795.tif 000018
【図１７】
2004003795.tif 000019
【図１８】
2004003795.tif 000020
【図１９】
2004003795.tif 000021